(57)【要約】【課題】操作入力手段が限定された端末によってＷｅｂドキュメントへのリンクデータを表示する際の操作性を改善する方法を提供すること。【解決手段】サーバ２０は、端末１０ａ等の表示部（表示部１０２５、１０１０）に表示させる複数のＷｅｂドキュメントへのリンクデータを選択し、端末１０ａ等の表示部の所定の表示領域の略中心部、及びその周囲の表示位置に対して、選択した前記複数のＷｅｂドキュメントへのリンクデータから、第１優先リンクとして１つを選択し、端末１０ａ等の表示部の所定の表示領域の略中心部の表示位置に表示させるためのデータを生成して端末１０ａ等に送信し、それ以外のＷｅｂドキュメントへのリンクデータから、その他の優先リンクとして更に前記周囲の表示位置に表示可能な数だけ選択し、前記周囲の表示位置に表示させるためのデータを生成して端末１０ａ等に送信する。【選択図】図６
2008059336.tif 000002
【特許請求の範囲】
【請求項１】
通信ネットワークを介して接続可能なサーバがＷｅｂドキュメントへのリンクを端末に表示させる方法であって、
前記端末の表示部に表示させる複数のＷｅｂドキュメントへのリンクデータを選択するステップと、
前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信するリンクデータ送信ステップと、を含む方法。
【請求項２】
前記リンクデータ送信ステップにおいて、前記サーバは、前記表示部の所定の表示領域の略中心部、及びその上、下、左、右、左上、右上、左下、右下の９つの表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、第２優先リンクとして更に選択可能な数だけ最大４つを選択し、前記略中心部の表示位置の上、下、左、及び右のいずれかの表示位置に１つずつ割り当てて表示させるためのデータを生成して前記端末に送信し、更にそれ以外のＷｅｂドキュメントへのリンクデータから、第３優先リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信する請求項１に記載の方法。
【請求項３】
前記リンクデータ送信ステップにおいて、前記サーバは、前記略中心部の表示位置に表示させるＷｅｂドキュメントへのリンクデータをハイライト表示させるためのデータを生成して前記端末に送信し、
前記端末から、上、下、左、及び右方向をそれぞれ指示可能な操作入力手段により受け付けた前記端末のユーザの操作入力データを受信したことに応じて、ハイライト表示させていた前記リンクデータの表示位置を基準として、受信した前記操作入力データが示す方向に表示させているリンクデータを、ハイライト表示させていた前記リンクデータに代えて新たにハイライト表示させるためのデータを生成して前記端末に送信するハイライト移動データ送信ステップを更に含む請求項２に記載の方法。
【請求項４】
前記ハイライト移動データ送信ステップにおいて、前記サーバは、新たにハイライト表示させる前記リンクデータが前記所定の表示領域の略中心部の表示位置に表示されるように、表示させていた複数のリンクデータの全てを平行移動して表示させ、空いた３つの表示位置に、受信した前記複数のＷｅｂドキュメントへのリンクデータから、第４優先リンクとして更に選択可能な数だけ最大３つを選択して表示させるためのデータを生成して前記端末に送信する請求項３に記載の方法。
【請求項５】
前記サーバは、前記端末のユーザのユーザ識別データ及び前記ユーザの過去のリンクデータの選択回数データを更に記憶しており、
前記リンクデータ送信ステップにおいて、前記サーバは、前記ユーザの過去の選択回数が多いリンクデータを優先して表示させるためのデータを生成して前記端末に送信する請求項１から請求項４のいずれかに記載の方法。
【請求項６】
前記サーバは、複数の前記Ｗｅｂドキュメントへのリンクデータ間の関連情報を記憶しており、前記端末から、ハイライト表示しているリンクデータを選択指示可能な操作入力手段により受け付けた前記端末のユーザの操作入力データを受信したことに応じて、選択した前記複数のＷｅｂドキュメントへのリンクデータから、ハイライト表示させている前記リンクデータに関連付けられたリンクデータを、下位レベル関連リンクとして更に最大９つ選択して、表示させていた９つのリンクデータの表示位置にそれぞれ上書き表示させるためのデータを生成して前記端末に送信する下位レベル関連リンク送信ステップを更に含む請求項３から請求項５のいずれかに記載の方法。
【請求項７】
前記下位レベル関連リンク送信ステップにおいて、前記サーバは、前記下位レベル関連リンクとして選択したリンクデータから、第１優先下位レベル関連リンクとして１つ選択し、前記表示部の所定の表示領域の略中心部の表示位置に表示させ、それ以外のＷｅｂドキュメントへのリンクデータから、第２優先下位レベル関連リンクとして更に選択可能な数だけ最大４つを選択し、前記略中心部の表示位置の上、下、左、及び右のいずれかの表示位置に１つずつ割り当てて表示させ、更にそれ以外のＷｅｂドキュメントへのリンクデータから、第３優先下位レベル関連リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信する請求項６に記載の方法。
【請求項８】
前記下位レベル関連リンク送信ステップにおいて、前記サーバは、前記ユーザの過去の選択回数が多いリンクデータを優先して表示させるためのデータを生成して前記端末に送信する請求項６又は請求項７に記載の方法。
【請求項９】
前記サーバは、最初に表示させたリンクデータを基準として、表示させているレベルを示すレベル情報を表示させるためのデータを生成して前記端末に送信するステップを更に含む請求項１から請求項８のいずれかに記載の方法。
【請求項１０】
前記サーバは、前記Ｗｅｂドキュメントへのリンクデータに関連する広告データを更に記憶しており、
前記リンクデータを選択するステップにおいて、前記サーバは、前記Ｗｅｂドキュメントへのリンクデータに関連する広告データを更に選択し、
前記リンクデータ送信ステップにおいて、前記サーバは、前記Ｗｅｂドキュメントへのリンクデータに関連する広告データを更に表示させるためのデータを生成して前記端末に送信する請求項１から請求項９のいずれかに記載の方法。
【請求項１１】
通信ネットワークを介して端末と接続可能なサーバであって、
前記端末の表示部に表示させる複数のＷｅｂドキュメントへのリンクデータを選択する手段と、
前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信するリンクデータ送信手段と、を含むサーバ。
【発明の詳細な説明】
【技術分野】
【０００１】
本発明は、Ｗｅｂドキュメントへのリンクを表示させる方法に関する。特に、限定的な操作入力手段を備える端末においてＷｅｂドキュメントへのリンクを表示させる方法に関する。
【背景技術】
【０００２】
従来、ＰＣ等の端末が、ディスプレイにＷｅｂドキュメントを表示する際、当該端末にインストールされたＷｅｂブラウザにより、Ｗｅｂサーバから受信したＨＴＭＬ等で記載されたレイアウト情報に従って、指示された位置に、別のＷｅｂドキュメントを呼び出すためのリンクデータとしてのハイパーリンクを表示する。当該端末のユーザは、マウス等のポインティングデバイスを用いて当該ハイパーリンクをクリックし、当該端末は、当該クリック操作を受け付けることによって選択されたハイパーリンクにより関連付けられたＷｅｂドキュメントをディスプレイに表示させる。
【０００３】
ここで、テレビ等のリモコンで操作する情報機器においてＷｅｂページを表示する場合を考える。通常、テレビ等のリモコンではマウスのようなポインティングデバイスを使用することができないため、ディスプレイ上で上述のハイパーリンクを選択する際には、ユーザは、上下左右の方向ボタン等でハイライト表示するハイパーリンクを順に移動させ、選択ボタン等を用いて当該ハイパーリンクを選択することになる。
【０００４】
ところが、上述のとおり、テレビ等のリモコンで操作する情報機器は、レイアウト情報に従って任意の位置にハイパーリンクを表示できるにもかかわらず、当該リモコンの方向ボタンの向きは上下左右の４方向に制限されているため、必ずしもユーザの意図したとおりにハイパーリンクのハイライトを移動させることができるとは限らず、端末の操作性については改善の余地がある。同様の課題は、同様に操作入力手段（入力ボタン等）が限定される携帯電話端末等によりＷｅｂドキュメントへのリンクを表示させる場合にも存在する。
【０００５】
このような状況において、特許文献１に記載された技術によれば、インターネットコンテンツをテレビで表示させる際に、当該インターネットコンテンツをアトリビュート（属性）により分類し、当該分類毎に画面に上下に並べて表示させることができる。
【０００６】
また、特許文献２に記載された技術によれば、表示させるオブジェクトを体系化し、更に、それらを階層化して複数のオブジェクトをまとめてラベル付けし、同じ階層のラベルを並べて表示することができる。
【０００７】
これらの技術によれば、チャンネルの上下キーや回転ホイールデバイス等によりインターネットコンテンツ等が選択可能となる。
【特許文献１】特表２００２−５０７３４４号公報
【特許文献２】特表２００４−５０３８３９号公報
【発明の開示】
【発明が解決しようとする課題】
【０００８】
しかしながら、特許文献１や特許文献２に記載された技術においても、操作性については更に改善の余地がある。例えば、特許文献１に記載された技術によれば、インターネットコンテンツの並べ方によって、現在のカーソルの位置から当該インターネットコンテンツに移動するのに、チャンネルの上下キーの多くのストロークや回転ホイールデバイスの多くの回転操作が必要になる場合がある。より具体的には、現在のカーソル位置から２つ離れていれば２ストローク、１０離れていれば１０ストロークが必要になる。
【０００９】
また、特許文献２に記載された技術によれば、ラベルの並べ方次第で特許文献１の場合と同様、多くのキーのストロークが必要になるものができてしまう。
【００１０】
そこで、本発明は、操作入力手段が限定された端末によってＷｅｂドキュメントへのリンクを表示する際の当該端末の操作性を改善する方法を提供することを目的とする。
【課題を解決するための手段】
【００１１】
上述の目的を達成するために、本発明者らは研究を重ね、本発明を完成するに至った。具体的には、本発明は以下のようなものを提供する。
【００１２】
（１）  通信ネットワーク（通信ネットワーク３０）を介して接続可能なサーバ（サーバ２０）がＷｅｂドキュメントへのリンクを端末（端末１０ａ、１０ｂ）に表示させる方法であって、
前記端末の表示部（表示部１０２５、１０１０）に表示させる複数のＷｅｂドキュメントへのリンクデータを選択するステップと、
前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信するリンクデータ送信ステップと、を含む方法。
【００１３】
本発明のこのような構成によれば、前記サーバは、前記端末の表示部（表示部１０２５、１０１０）に表示させる複数のＷｅｂドキュメントへのリンクデータを選択し、前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信することができる、という作用効果を有する。
【００１４】
このことにより、前記サーバは、前記端末の表示部の所定の表示領域の略中心部及びその周囲の表示位置に前記Ｗｅｂドキュメントへのリンクデータを表示させることができる。
【００１５】
その結果、前記端末の操作入力手段が、マウス等のポインティングデバイスを備えておらず、例えば方向キー、ホイールボタン、或いは１０キー等に限定されている場合においても、前記端末に前記略中心部の表示位置から前記ユーザが直感的に操作しやすい表示位置に前記リンクデータを表示させることが可能となり、以って前記端末の操作性を改善させることができる。
【００１６】
（２）  前記リンクデータ送信ステップにおいて、前記サーバは、前記表示部の所定の表示領域の略中心部、及びその上、下、左、右、左上、右上、左下、右下の９つの表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、第２優先リンクとして更に選択可能な数だけ最大４つを選択し、前記略中心部の表示位置の上、下、左、及び右のいずれかの表示位置に１つずつ割り当てて表示させるためのデータを生成して前記端末に送信し、更にそれ以外のＷｅｂドキュメントへのリンクデータから、第３優先リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信する（１）に記載の方法。
【００１７】
本発明のこのような構成によれば、前記リンクデータ送信ステップにおいて、前記サーバは、前記表示部の所定の表示領域の略中心部、及びその上、下、左、右、左上、右上、左下、右下の９つの表示位置に対して、受信した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、第２優先リンクとして更に選択可能な数だけ最大４つを選択し、前記略中心部の表示位置の上、下、左、及び右のいずれかの表示位置に１つずつ割り当てて表示させるためのデータを生成して前記端末に送信し、更にそれ以外のＷｅｂドキュメントへのリンクデータから、第３優先リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信することができる、という作用効果を有する。
【００１８】
このことにより、前記サーバは、前記端末の表示部の所定の表示領域の略中心部及びその周囲の８箇所の表示位置（合計９箇所）に前記Ｗｅｂドキュメントへのリンクデータを表示させることができる。
【００１９】
その結果、前記端末の操作入力手段が、マウス等のポインティングデバイスを備えておらず、例えば方向キー、ホイールボタンに限定されている場合においても、前記端末に、前記ユーザが前記略中心部の表示位置から１ストロークの操作で選択可能な４箇所の表示位置に前記リンクデータを表示させると共に、その位置から更に１ストロークの操作で選択可能な４箇所の表示位置に同様に前記リンクデータを表示させることができる。或いは、１０キーによれば、前記略中心部の表示位置から１ストロークの操作で選択可能な８箇所の表示位置に前記リンクデータを表示させることができる。
【００２０】
このように限定された操作入力手段によっても、前記端末は少ないストロークで直感的に操作しやすい表示位置に前記リンクデータを表示させることが可能となり、以って前記端末の操作性を改善させることができる。
【００２１】
（３）  前記リンクデータ送信ステップにおいて、前記サーバは、前記略中心部の表示位置に表示させるＷｅｂドキュメントへのリンクデータをハイライト表示させるためのデータを生成して前記端末に送信し、
前記端末から、上、下、左、及び右方向をそれぞれ指示可能な操作入力手段により受け付けた前記端末のユーザの操作入力データを受信したことに応じて、ハイライト表示させていた前記リンクデータの表示位置を基準として、受信した前記操作入力データが示す方向に表示させているリンクデータを、ハイライト表示させていた前記リンクデータに代えて新たにハイライト表示させるためのデータを生成して前記端末に送信するハイライト移動データ送信ステップを更に含む（２）に記載の方法。
【００２２】
本発明のこのような構成によれば、前記リンクデータ送信ステップにおいて、前記サーバは、前記略中心部の表示位置に表示させるＷｅｂドキュメントへのリンクデータをハイライト表示させるためのデータを生成して前記端末に送信し、前記端末から、上、下、左、及び右方向をそれぞれ指示可能な操作入力手段により受け付けた前記端末のユーザの操作入力データを受信したことに応じて、ハイライト表示させていた前記リンクデータの表示位置を基準として、受信した前記操作入力データが示す方向に表示させているリンクデータを、ハイライト表示させていた前記リンクデータに代えて新たにハイライト表示させるためのデータを生成して前記端末に送信することができる、という作用効果を有する。
【００２３】
このことにより、前記サーバは、前記所定の表示領域の略中心部の表示位置にハイライト表示させたリンクデータの位置から上、下、左、又は右方向ボタンの１ストロークで最大４つ、２ストロークで更に最大４つのリンクデータを前記端末にハイライト表示させることが可能となる。
【００２４】
その結果、ユーザは、上、下、左、及び右方向をそれぞれ指示可能な操作入力手段（上ボタン１００３、下ボタン１００４、左ボタン１００５、右ボタン１００６等）に限定された端末において、１ストロークのボタン操作で最大４つのリンクデータを選択することが可能となる。更に１ストロークのボタン操作で更に最大４つのリンクデータを選択することが可能となる。しかも、前記表示部の表示領域において、ハイライトされているリンクデータの表示位置を基準として、上、下、左、及び右方向のリンクデータの表示位置が、前記操作入力手段の指示方向と一致しているため、前記端末のユーザが直感的にハイライト表示する操作をすることが可能となり、以って前記端末の操作性を更に改善することができる。
【００２５】
（４）  前記ハイライト移動データ送信ステップにおいて、前記サーバは、新たにハイライト表示させる前記リンクデータが前記所定の表示領域の略中心部の表示位置に表示されるように、表示させていた複数のリンクデータの全てを平行移動して表示させ、空いた３つの表示位置に、受信した前記複数のＷｅｂドキュメントへのリンクデータから、第４優先リンクとして更に選択可能な数だけ最大３つを選択して表示させるためのデータを生成して前記端末に送信する（３）に記載の方法。
【００２６】
本発明のこのような構成によれば、前記ハイライト移動データ送信ステップにおいて、前記サーバは、新たにハイライト表示させる前記リンクデータが前記所定の表示領域の略中心部の表示位置に表示されるように、表示させていた複数のリンクデータの全てを平行移動して表示させ、空いた３つの表示位置に、受信した前記複数のＷｅｂドキュメントへのリンクデータから、第４優先リンクとして更に選択可能な数だけ最大３つを選択して表示させるためのデータを生成して前記端末に送信することができる、という作用効果を有する。
【００２７】
このことにより、前記サーバは、前記ハイライト移動送信ステップの後においても、前記端末にハイライト表示させるリンクデータを９つの表示位置の中心の表示位置に表示させることができる。更に、前記サーバは、前記端末に表示させていたリンクデータを平行移動したために空いた３つの表示位置に、更に最大３つのリンクデータを新たに表示させることができる。
【００２８】
その結果、前記サーバは、前記ハイライト移動送信ステップの後においても、前記端末に、前記表示領域の略中心部にハイライト表示させたリンクデータの表示位置を基準として、再び１ストロークのボタン操作で最大４つのリンクデータの選択操作を受け付けさせることが可能となる。更に１ストロークのボタン操作で更に最大４つのリンクデータの選択操作を受け付けさせることが可能となる。
【００２９】
このように、前記サーバは、前記ハイライト移動送信ステップを繰り返し実行しても、その度に、前記ユーザに選択されたリンクデータを前記表示領域の略中心部の表示位置に表示させることが可能となり、更に、新たなリンクデータを次々と表示させることが可能となり、以って前記端末の操作性を更に改善することができる。
【００３０】
（５）  前記サーバは、前記端末のユーザのユーザ識別データ及び前記ユーザの過去のリンクデータの選択回数データを更に記憶しており、
前記リンクデータ送信ステップにおいて、前記サーバは、前記ユーザの過去の選択回数が多いリンクデータを優先して表示させるためのデータを生成して前記端末に送信する（１）から（４）のいずれかに記載の方法。
【００３１】
本発明のこのような構成によれば、前記サーバは、前記端末のユーザのユーザ識別データ及び前記ユーザの過去のリンクデータの選択回数データを更に記憶しており、前記リンクデータ送信ステップにおいて、前記サーバは、前記ユーザの過去の選択回数が多いリンクデータを優先して表示させるためのデータを生成して前記端末に送信することができる、という作用効果を有する。
【００３２】
このことにより、前記サーバは、前記ユーザが過去に選択した回数の多い、即ち前記ユーザが再び選択する可能性が高いと考えられるＷｅｂドキュメントへのリンクデータを優先して選択して前記端末に表示させることができる。
【００３３】
その結果、前記サーバは、前記ユーザが選択する可能性がより高いと考えられるＷｅｂドキュメントへのリンクデータを、前記端末により少ないストローク数でハイライト表示させることが可能となり、以って前記端末の操作性を更に改善することができる。
【００３４】
（６）  前記サーバは、複数の前記Ｗｅｂドキュメントへのリンクデータ間の関連情報を記憶しており、前記端末から、ハイライト表示しているリンクデータを選択指示可能な操作入力手段により受け付けた前記端末のユーザの操作入力データを受信したことに応じて、選択した前記複数のＷｅｂドキュメントへのリンクデータから、ハイライト表示させている前記リンクデータに関連付けられたリンクデータを、下位レベル関連リンクとして更に最大９つ選択して、表示させていた９つのリンクデータの表示位置にそれぞれ上書き表示させるためのデータを生成して前記端末に送信する下位レベル関連リンク送信ステップを更に含む（３）から（５）のいずれかに記載の方法。
【００３５】
本発明のこのような構成によれば、前記サーバは、複数の前記Ｗｅｂドキュメントへのリンクデータ間の関連情報を記憶しており、前記端末から、ハイライト表示しているリンクデータを選択指示可能な操作入力手段により受け付けた前記端末のユーザの操作入力データを受信したことに応じて、選択した前記複数のＷｅｂドキュメントへのリンクデータから、ハイライト表示させている前記リンクデータに関連付けられたリンクデータを、下位レベル関連リンクとして更に最大９つ選択して、表示させていた９つのリンクデータの表示位置にそれぞれ上書き表示させるためのデータを生成して前記端末に送信することができる、という作用効果を有する。
【００３６】
このことにより、前記サーバは、前記ユーザにより選択されたリンクデータに関連付けられたリンクデータを、下位レベル関連リンクとして前記端末に表示させることができる。
【００３７】
その結果、前記関連情報により、前記Ｗｅｂドキュメントへのリンクデータが相関関係を有している場合に、前記サーバは、前記相関関係に従って前記Ｗｅｂドキュメントへのリンクデータを前記端末に表示させることができる。
【００３８】
したがって、例えば、Ｗｅｂドキュメントが、ジャンルやカテゴリ毎に分類、整理され、階層的なジャンル名やカテゴリ名によって構成する複数のリンクデータにより構造化された関係が定められている場合には、前記サーバは、当該ジャンル名やカテゴリ名をキーとして、段階的に当該Ｗｅｂドキュメントへのリンクデータを前記端末に表示させることができる。
【００３９】
（７）  前記下位レベル関連リンク送信ステップにおいて、前記端末は、前記下位レベル関連リンクとして選択したリンクデータから、第１優先下位レベル関連リンクとして１つ選択し、前記表示部の所定の表示領域の略中心部の表示位置に表示させ、それ以外のＷｅｂドキュメントへのリンクデータから、第２優先下位レベル関連リンクとして更に選択可能な数だけ最大４つを選択し、前記略中心部の表示位置の上、下、左、及び右のいずれかの表示位置に１つずつ割り当てて表示させ、更にそれ以外のＷｅｂドキュメントへのリンクデータから、第３優先下位レベル関連リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信する（６）に記載の方法。
【００４０】
本発明のこのような構成によれば、前記下位レベル関連リンク送信ステップにおいて、前記サーバは、前記下位レベル関連リンクとして選択したリンクデータから、第１優先下位レベル関連リンクとして１つ選択し、前記表示部の所定の表示領域の略中心部の表示位置に表示させ、それ以外のＷｅｂドキュメントへのリンクデータから、第２優先下位レベル関連リンクとして更に選択可能な数だけ最大４つを選択し、前記略中心部の表示位置の上、下、左、及び右のいずれかの表示位置に１つずつ割り当てて表示させ、更にそれ以外のＷｅｂドキュメントへのリンクデータから、第３優先下位レベル関連リンクとして更に選択可能な数だけ最大４つを選択し、前記略中心部の表示位置の左上、右上、左下、及び右下のいずれかの表示位置に１つずつ割り当てて表示させるためのデータを生成して前記端末に送信することができる、という作用効果を有する。
【００４１】
このことにより、前記下位レベル関連リンク送信ステップにおいて、前記サーバは、（２）と同様の方法により表示することができる。
【００４２】
その結果、前記下位レベル関連リンク送信ステップにおいて、（２）と同様の効果が期待できる。
【００４３】
（８）  前記下位レベル関連リンク送信ステップにおいて、前記サーバは、前記ユーザの過去の選択回数が多いリンクデータを優先して表示させるためのデータを生成して前記端末に送信する（６）又は（７）に記載の方法。
【００４４】
本発明のこのような構成によれば、前記下位レベル関連リンク送信ステップにおいて、前記サーバは、前記ユーザの過去の選択回数が多いリンクデータを優先して表示させるためのデータを生成して前記端末に送信することができる、という作用効果を有する。
【００４５】
このことにより、前記下位レベル関連リンク送信ステップにおいて、前記サーバは、（４）と同様の方法により前記端末に表示させることができる。
【００４６】
その結果、前記下位レベル関連リンク送信ステップにおいて、（４）と同様の効果が期待できる。
（９）  前記サーバは、最初に表示させたリンクデータを基準として、表示させているレベルを示すレベル情報を表示させるためのデータを生成して前記端末に送信するステップを更に含む（１）から（８）のいずれかに記載の方法。
【００４７】
本発明のこのような構成によれば、前記サーバは、最初に表示させたリンクデータを基準として、表示させているレベルを示すレベル情報を表示させるためのデータを生成して前記端末に送信することができる、という作用効果を有する。
【００４８】
このことにより、前記サーバは、前記端末がハイライト表示しているリンクデータを選択指示可能な操作入力手段（選択ボタン１００７等）により、操作を受け付けたことに応じて、前記下位レベル関連リンクを表示する毎に深くなるレベルを前記端末に表示させることができる。
【００４９】
その結果、前記ユーザは、前記端末が表示しているリンクデータが、前記端末が最初に表示したリンクデータに対してどのレベルに属するかについて知ることができる。
【００５０】
なお、前記サーバは、前記端末に、前記レベル情報として、予め複数の連続するブロック状の図形を表示させておき、レベルの深さに対応する前記ブロック状の図形をハイライト表示させてもよい。このことにより、前記ユーザは、自らが表示させているリンクデータのレベルの深さを知ると共に、最初にリンクデータを表示した時点で、リンクデータ全体の階層がどの程度の深さを持っているのかについても知ることができる。
【００５１】
また、前記サーバは、前記端末に、前記レベル情報として、最初に表示させたリンクデータから現在表示させているリンクデータまで、リンクデータの「パス」として複数のリンクデータを並べて表示させてもよい。このことにより、前記ユーザは、現在表示しているリンクデータまでの「パス」を参考にして、所望のＷｅｂドキュメントを探索するのに必要な次の操作入力を検討することができる。
【００５２】
（１０）  前記サーバは、前記Ｗｅｂドキュメントへのリンクデータに関連する広告データを更に記憶しており、
前記リンクデータを選択するステップにおいて、前記サーバは、前記Ｗｅｂドキュメントへのリンクデータに関連する広告データを更に選択し、
前記リンクデータ送信ステップにおいて、前記サーバは、前記Ｗｅｂドキュメントへのリンクデータに関連する広告データを更に表示させるためのデータを生成して前記端末に送信する（１）から（９）のいずれかに記載の方法。
【００５３】
本発明のこのような構成によれば、前記サーバは、前記Ｗｅｂドキュメントへのリンクデータに関連する広告データを更に記憶しており、前記リンクデータを選択するステップにおいて、前記サーバは、前記Ｗｅｂドキュメントへのリンクデータに関連する広告データを更に選択し、前記リンクデータ送信ステップにおいて、前記サーバは、前記Ｗｅｂドキュメントへのリンクデータに関連する広告データを更に表示させるためのデータを生成して前記端末に送信することができる、という作用効果を有する。
【００５４】
このことにより、前記サーバは、前記端末に表示させているリンクデータに関連する広告データをあわせて表示させることができる。
【００５５】
その結果、前記端末は、前記ユーザが表示させているリンクデータ、即ち前記ユーザの興味があると思われるリンクデータに関連する広告データを表示することができる。したがって、広告データのアクセス率を高めることにより、広告効果を高めることができる可能性がある。
【００５６】
（１１）  通信ネットワークを介して端末と接続可能なサーバであって、
前記端末の表示部（表示部１０２５、１０１０）に表示させる複数のＷｅｂドキュメントへのリンクデータを選択する手段と、
前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信するリンクデータ送信手段と、を含むサーバ。
【００５７】
本発明のこのような構成によれば、前記サーバは、前記端末の表示部（表示部１０２５、１０１０）に表示させる複数のＷｅｂドキュメントへのリンクデータを選択し、前記表示部の所定の表示領域の略中心部、及びその周囲の表示位置に対して、選択した前記複数のＷｅｂドキュメントへのリンクデータから、第１優先リンクとして１つを選択し、前記表示部の所定の表示領域の略中心部の表示位置に表示させるためのデータを生成して前記端末に送信し、それ以外のＷｅｂドキュメントへのリンクデータから、その他の優先リンクとして更に前記周囲の表示位置に表示可能な数だけ選択し、前記周囲の表示位置に表示させるためのデータを生成して前記端末に送信することができる、という作用効果を有する。
【００５８】
その結果、前記端末及びサーバを運用することにより、（１）と同様の効果が期待できる。
【発明の効果】
【００５９】
本発明によれば、前記端末は、前記所定の表示領域の略中心部の表示位置にハイライト表示したリンクデータの位置から上、下、左、又は右方向ボタンの１ストロークで最大４つ、２ストロークで更に最大４つのリンクデータをハイライト表示させることが可能となる。その結果、上、下、左、及び右方向をそれぞれ指示可能な操作入力手段（上ボタン１００３、下ボタン１００４、左ボタン１００５、右ボタン１００６等）に限定された端末において、１ストロークのボタン操作で最大４つのリンクデータを選択することが可能となる。更に１ストロークのボタン操作で更に最大４つのリンクデータを選択することが可能となる。しかも、前記表示部の表示領域において、ハイライトされているリンクデータの表示位置を基準として、上、下、左、及び右方向のリンクデータの表示位置が、前記操作入力手段の指示方向と一致しているため、前記端末のユーザが直感的に操作することが可能となり、以って前記端末の操作性を改善することができる。
【発明を実施するための最良の形態】
【００６０】
以下、本発明の実施形態について図面を参照して説明する。
【００６１】
図１は、本発明の好適な実施形態の一例に係るシステムの全体構成を示す図である。図２は、本発明の好適な実施形態の一例に係る端末１０ａの構成を示す図である。図３は、本発明の好適な実施形態の一例に係る端末１０ｂの構成を示す図である。図４は、本発明の好適な実施形態の一例に係るサーバ２０の構成を示す図である。図５は、本発明の好適な実施形態の一例に係るシステムの機能構成を示す図である。図６乃至図１１は、本発明の好適な実施形態の一例に係る端末１０ａ、１０ｂの表示画面の一例を示す図である。図１２は、本発明の好適な実施形態の一例に係る端末１０ａ、１０ｂの表示するリンクデータの構成の一例を示す図である。図１３は本発明の好適な実施形態の一例に係る利用頻度テーブルを示す図である。図１４乃至図１７は、本発明の好適な実施形態の一例に係る端末１０ａ、１０ｂの表示画面の一例を示す図である。
［システムの全体構成］
【００６２】
図１に示すように、本発明の好適な実施形態の一例に係るシステム１は、端末１０ａ、１０ｂ、サーバ２０、通信ネットワーク３０、基地局４０を含む。端末１０ａ（テレビ等）は通信ネットワーク３０を介してサーバ２０と接続可能である。また、端末１０ｂ（携帯電話等）は、更に基地局４０を介して、無線によりサーバ２０と接続可能である。
［端末の構成］
【００６３】
図２に示すように、端末１０ａ（テレビ等）は、制御部１００１、記憶部１００２、上ボタン１００３、下ボタン１００４、左ボタン１００５、右ボタン１００６、選択ボタン１００７、戻るボタン１００８、テンキーボタン１００９及び通信Ｉ／Ｆ部１０１１がバス１０１２を介して接続されて構成されるリモコン１０００と、制御部１０２１、記憶部１０２２、通信Ｉ／Ｆ部１０２３、入力部１０２４及び表示部１０２５がバス１０２６を介して接続されて構成される本体１０２０と、を含んで構成される。リモコン１０００と本体１０２０とは、通信Ｉ／Ｆ部１０１１、１０２３を介して互いに信号の送受信が可能である。
【００６４】
図３に示すように、端末１０ｂ（携帯電話等）は、制御部１００１、記憶部１００２、上ボタン１００３、下ボタン１００４、左ボタン１００５、右ボタン１００６、選択ボタン１００７、戻るボタン１００８、テンキーボタン１００９、表示部１０１０、及び通信Ｉ／Ｆ部１０１１がバス１０１２を介して接続されて構成される。
［サーバの構成］
【００６５】
図４は、図１で説明した本発明の好適な実施形態の一例に係るサーバ２０のハードウェア構成の一例を示す図である。サーバ２０は、制御部２０１を構成するＣＰＵ（Ｃｅｎｔｒａｌ  Ｐｒｏｃｅｓｓｉｎｇ  Ｕｎｉｔ）２０１０（マルチプロセッサ構成ではＣＰＵ２０１２など複数のＣＰＵが追加されてもよい）、バスライン２００５、通信Ｉ／Ｆ２０４０、メインメモリ２０５０、ＢＩＯＳ（Ｂａｓｉｃ  Ｉｎｐｕｔ  Ｏｕｔｐｕｔ  Ｓｙｓｔｅｍ）２０６０、ＵＳＢポート２０９０、Ｉ／Ｏコントローラ２０７０、並びにキーボード及びマウス２１００等の入力手段や表示装置２０２２を備える。
【００６６】
Ｉ／Ｏコントローラ２０７０には、テープドライブ２０７２、ハードディスク２０７４、光ディスクドライブ２０７６、半導体メモリ２０７８、等の記憶手段を接続することができる。
【００６７】
ＢＩＯＳ２０６０は、サーバ２０の起動時にＣＰＵ２０１０が実行するブートプログラムや、サーバ２０のハードウェアに依存するプログラム等を格納する。
【００６８】
記憶部２０７を構成するハードディスク２０７４は、サーバ２０がサーバとして機能するための各種プログラム及び本発明の機能を実行するプログラムを記憶しており、更に必要に応じて各種データベースを構成可能である。
【００６９】
光ディスクドライブ２０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク２０７７を使用する。光ディスク２０７７から光ディスクドライブ２０７６によりプログラム又はデータを読み取り、Ｉ／Ｏコントローラ２０７０を介してメインメモリ２０５０又はハードディスク２０７４に提供することもできる。また、同様にテープドライブ２０７２に対応したテープメディア２０７１を主としてバックアップのために使用することもできる。
【００７０】
サーバ２０に提供されるプログラムは、ハードディスク２０７４、光ディスク２０７７、又はメモリーカード等の記録媒体に格納されて提供される。このプログラムは、Ｉ／Ｏコントローラ２０７０を介して、記録媒体から読み出され、又は通信Ｉ／Ｆ２０４０を介してダウンロードされることによって、サーバ２０にインストールされ実行されてもよい。
【００７１】
前述のプログラムは、内部又は外部の記憶媒体に格納されてもよい。ここで、記憶部２０７を構成する記憶媒体としては、ハードディスク２０７４、光ディスク２０７７、又はメモリーカードの他に、ＭＤ等の光磁気記録媒体、テープ媒体を用いることができる。また、専用通信回線やインターネットに接続されたサーバシステムに設けたハードディスク２０７４又は光ディスクライブラリー等の記憶装置を記録媒体として使用し、通信回線を介してプログラムをサーバ２０に提供してもよい。
【００７２】
ここで、表示装置２０２２は、ユーザにデータの入力を受け付ける画面を表示したり、サーバ２０による演算処理結果の画面を表示したりするものであり、ブラウン管表示装置（ＣＲＴ）、液晶表示装置（ＬＣＤ）等のディスプレイ装置を含む。
【００７３】
ここで、入力手段は、ユーザによる入力の受付を行うものであり、キーボード及びマウス２１００等により構成してよい。
【００７４】
また、通信Ｉ／Ｆ２０４０は、サーバ２０を専用ネットワーク又は公共ネットワークを介して端末と接続できるようにするためのネットワーク・アダプタである。通信Ｉ／Ｆ２０４０は、モデム、ケーブル・モデム及びイーサネット（登録商標）・アダプタを含んでよい。
【００７５】
以上の例は、サーバ２０について主に説明したが、コンピュータに、プログラムをインストールして、そのコンピュータをサーバ装置として動作させることにより上記で説明した機能を実現することもできる。したがって、本発明において一実施形態として説明したサーバにより実現される機能は、上述の方法を当該コンピュータにより実行することにより、或いは、上述のプログラムを当該コンピュータに導入して実行することによっても実現可能である。
［システムの機能構成］
【００７６】
本発明の好適な実施形態の一例に係るシステム１において、サーバ２０及び端末１０ａ、端末１０ｂは図５に示すような機能構成を有する。
【００７７】
リンクデータ選択手段は、Ｗｅｂドキュメントへのリンクデータから端末１０ａ又は端末１０ｂに表示させるリンクデータを選択する。
【００７８】
リンクデータ送信手段は、選択したリンクデータを端末１０ａ又は端末１０ｂに表示させるためのデータを生成して送信する。具体的には、例えば、ＨＴＭＬドキュメントデータを生成して送信する。
【００７９】
ハイライト表示データ生成手段は、端末１０ａ又は端末１０ｂにリンクデータをハイライト表示させるためのデータを生成する。
【００８０】
ハイライト移動データ送信手段は、端末１０ａ又は端末１０ｂから受信したユーザの操作入力データに基づいて移動した後のリンクデータを端末１０ａ又は端末１０ｂにハイライト表示させるためのデータを生成して端末１０ａ又は端末１０ｂに送信する。
【００８１】
Ｗｅｂブラウザ機能付テレビ或いはリモコン付Ｗｅｂブラウザの端末は、サーバ２０からの指示に基づいてリンクデータを表示する表示機能を備える。
【００８２】
また、ユーザの操作入力を受け付ける操作入力手段を備える。
【００８３】
なお、上述の機能構成の例においては、サーバ２０がＨＴＭＬドキュメントを生成して送信しているが、ユーザによる端末の操作入力に対するレスポンスを改善するために、ＡＪＡＸ等として知られる非同期の通信により、端末１０ａ又は端末１０ｂにおいて次に予想されるユーザの操作入力に備えて予めそのためのデータをサーバ２０から端末１０ａ又は端末１０ｂに送信しておいてもよい。
【００８４】
具体的には、例えば、サーバ２０が端末１０ａ又は端末１０ｂにリンクデータを表示させる際に、ユーザによる端末１０ａ又は端末１０ｂの操作に備えて、その画面の周囲に表示する予定のリンクデータを表示させるためのデータを予め送信しておいてもよい。同様に、表示させたリンクデータの一をユーザが選択した際に次に表示すべき下位レベルのリンクデータを表示させるためのデータを予め送信しておいてもよい。
［端末の表示画面］
【００８５】
端末１０ａ又は端末１０ｂは、それぞれ表示部１０２５又は表示部１０１０に、初期画面として図６に示すような画面を表示する。表示部１０２５又は表示部１０１０の表示領域の略中心部の表示位置に利用頻度１位のリンクデータを表示し、その上に同第２位、その下に同第３位、その左に同４位、その右に同５位、その左上に同６位、その右上に同７位、その左下に同８位、その右下に同９位のリンクデータを表示する。
【００８６】
その後、図１０に示すように、端末１０ａのユーザが、上ボタン１００３、下ボタン１００４、左ボタン１００５又は右ボタン１００６を押下することにより、端末１０ａは、表示部１０２５の表示領域の略中心部にハイライト表示された現在位置から、それぞれのボタンにより指示された方向の表示位置に表示されたリンクデータを、当該ハイライト表示されているリンクデータに代えてハイライト表示させることができる。しかも、新たにハイライト表示させるリンクデータは常に当該表示領域の略中心部の表示位置に表示され、空いた３つの表示位置には、次に利用頻度の高いリンクデータが表示される。
【００８７】
ここで、当該ユーザがこれらの方向ボタンをもう１回押下することにより、端末１０ａは、左上、右上、左下及び右下の表示位置に表示されたリンクデータをハイライト表示させることができる。
【００８８】
同様に、図１０に示すように、当該ユーザがテンキーボタン１００９のうち「１」乃至「４」及び「６」乃至「９」を押下することにより、端末１０ａは、それぞれ指示された表示領域のリンクデータをハイライト表示することができる。
【００８９】
また、端末１０ｂについても、同様の操作により、表示部１０１０において同様の表示が可能である。
【００９０】
上述の一連のハイライト移動表示処理の概要を図７に示す。図７に示した様に、ユーザが操作した順番により、利用頻度１０位以下のリンクデータが表示される位置は変化し得る。このようにすることで、初期画面の９つの表示位置に表示されなかった利用頻度１０位以下のリンクデータについても、利用頻度の高いリンクデータほど少ないボタン操作で表示させることが可能となっている。
【００９１】
図７の例では、表示部の表示領域の９つの表示位置を外側の実線枠で示し、その略中心部の表示位置（ハイライト表示する）を内側の実線枠で示し、ユーザによる方向ボタンの操作に備えて予め端末がサーバから読み込んで表示待機しているリンクデータを点線枠で示している。
【００９２】
ここで、方向ボタンの「上」を「Ａ」、方向ボタンの「下」を「Ｂ」、方向ボタンの「左」を「Ｃ」、方向ボタンの「右」を「Ｄ」という記号で表している。この例では、＜初期表示＞画面から＜Ａ＞（上ボタン）、＜Ｄ＞（右ボタン）、＜Ｂ＞（下ボタン）のいずれを押下した場合にも、表示している利用頻度（優先順位）が１０位、１１位及び１２位のリンクデータが、それぞれ方向ボタンの操作により＜初期表示＞で表示していたリンクデータが平行移動したために空いた３つの表示位置に表示される。
【００９３】
また、ユーザが、最初に方向ボタンの「右」（Ｄ）を押下し、続いて方向ボタンの「下」（Ｂ）を押下した場合と、最初に方向ボタンの「下」（Ｂ）を押下し、続いて方向ボタンの「右」（Ｄ）を押下した場合と、では、９つの表示位置の略中心部の表示位置にハイライト表示されるリンクデータは、利用頻度（優先順位）が「第９位」で同一であるが、その周囲の８つの表示位置に表示されるリンクデータは異なることになる（＜ＤＢ＞と＜ＢＤ＞とは表示されるリンクデータが同一ではない）。同様に、ユーザが、＜初期表示＞画面から方向ボタンの「下」（Ｂ）を一回押下した場合と、方向ボタンを「右」、「下」、「左」という順番で３回押下した場合と、では、ハイライト表示されるリンクデータは、利用頻度（優先順位）が「第３位」と同一であるが、その周囲の８つの表示位置に表示されるリンクデータは異なることになる（＜Ｂ＞と＜ＤＢＣ＞とは表示されるリンクデータが同一ではない）。
【００９４】
また、図８に示すように、端末１０ａ又は１０ｂの選択（決定）ボタン１００７或いはテンキーボタン１００９の「５」を押下することにより、表示領域の略中心部の表示位置にハイライト表示されたリンクデータが選択され、ハイライト表示された当該リンクデータに関連付けられた下位レベル（第２階層）関連リンクデータが表示される。この下位レベル（第２階層）関連リンクデータについても、利用頻度により、図６と同様に表示位置が決定される。また、画面の右側に、表示しているリンクデータの階層をハイライト表示して示すレベルインジゲータを表示している。ユーザは、このレベルインジゲータの表示を参考に、現在表示中のリンクデータの階層の深さを知り、次の操作を検討することができる。
【００９５】
また、ユーザが戻るボタン１００８を押下することによって、端末１０ａ又は端末１０ｂは、上位レベルの関連リンクデータを表示する。
【００９６】
また、図９に示すように、ユーザが、テンキーボタン１００９のうち「１２」を押下することにより、端末１０ａ又は１０ｂは、上述の「選択」（決定）ボタン１００７を押下した場合と同様の処理を実行する。また、ユーザがテンキーボタン１００９のうち「１０」を押下することにより、端末１０ａ又は１０ｂは、上述の戻るボタン１００８を押下した場合と同様の処理を実行する。
【００９７】
このように、端末１０ａ及び１０ｂは、指示方向が４方向に限定された方向ボタン及びテンキー等のみによって、図１２に示すような階層構造（相関関係）を持つＷｅｂドキュメントへのリンクデータを直感的にわかりやすい表示位置に表示させることができる。しかも、各階層でユーザの選択回数を記憶することによって測定する利用頻度に応じて利用頻度（優先順位）のより高いリンクデータをより少ないボタン操作で選択することができるように表示させることができる。
【００９８】
端末１０ａ及び１０ｂは、図１２のようなツリー構造のリンクデータを立体的に向かって左側（ルート側）から見る視点で、しかも利用頻度の高いリンクデータを常に優先的に最大９つ選択して表示する。このことにより、図１４及び図１５に示すように、ユーザは、いわば、リンクデータが立体的に配置された空間を進んでいくような感覚を持って端末１０ａ又は１０ｂを操作可能となり、直感的でわかりやすい操作性を得ることができる。図１４は、ユーザが選択（決定）ボタン１００７を押下した場合、図１５は、ユーザが下ボタン１００４又はテンキーボタン１００９の「８」を押下した場合の画面遷移の様子を示す。
【００９９】
図１３（ａ）及び（ｂ）は、それぞれ上述のツリー構造のリンクデータの第一階層及び第２階層のリンクデータの利用頻度（優先順位）を示す利用頻度（優先順位）テーブルである。サーバ２０は、この利用頻度（優先順位）テーブルをユーザ毎に記憶部２０７に記憶しており、端末１０ａ又は１０ｂからの要求に応じて、利用頻度（優先順位）の高いものを優先的に送信する。
【０１００】
図１３（ａ）の例では、第一階層において、リンクデータ「サービス一覧」が利用頻度２６９回で優先順位が第１位となっており、図１３（ｂ）の例では第２階層において、リンクデータ「動画検索」が利用頻度２６２回で優先順位第１位となっている。
【０１０１】
ここで、図１２の例においては、「自分のアルバム」は「フォト」の下位リンクとして定められていると同時に「動画」の下位リンクとしても定められている（矢印線）。このように、本発明においては、リンクデータは、一義的なツリー構造を有している必要はなく、複数のルートで特定のリンクデータに到達するような相関関係を持っていてもよい。この例では、「フォト」をハイライト表示させて選択しても「自分のアルバム」が表示され、「動画」をハイライト表示させて選択しても「自分のアルバム」が表示される。
【０１０２】
図１４の例においては、端末１０ａ又は１０ｂは、表示部１０２５又は１０１０の表示領域において、周囲の表示位置のリンクデータの表示が徐々に拡大されると共に周囲へ流れていく様子を演出表示し、ユーザにリンクデータのツリー構造を１つ奥へ進んでいくような感覚を与える。
【０１０３】
また、図１５の例においては、端末１０ａ又は１０ｂが、「動画検索」を利用頻度（優先順位）第１位として表示領域の略中心部の表示位置に表示していた場合に、ユーザが、方向ボタンの「下」を押下した場合であり、表示している全てのリンクデータが上方向に徐々に平行移動（スライド）していくような演出表示を行い、ユーザにリンクデータのツリー構造において同レベルで視点を移動しているような感覚を与える。その後、利用頻度（優先順位）第３位の「動画」が略中心部の表示位置に表示され、これがハイライト表示される。
【０１０４】
また、図１４及び図１５の例においては、表示画面の下端にニュースが表示されているが、本発明によれば、このスペースに、表示中のリンクデータ（例えば、図１４の例においては、「サービス一覧」、図１５の例においては「動画」等）に関連のある広告を表示してもよい。
【０１０５】
このような一連の操作を実施することにより、ユーザは図１６に示すように所望のＷｅｂドキュメントを表示部１０２５又は１０１０に表示させることができる。
【０１０６】
また、端末１０ａ又は１０ｂは、図１７に示すような画面を表示することもできる。この例では、初期画面を基準として、表示しているリンクデータのレベルを示すインジゲータにトップページからのリンクデータのパスが示され、ユーザはこのパスを参考に次の操作を考えることができる。
【０１０７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１０８】
【図１】本発明に係るシステムの全体構成を示す図である。
【図２】本発明に係る端末１０ａの構成を示す図である。
【図３】本発明に係る端末１０ｂの構成を示す図である。
【図４】本発明に係るサーバ２０の構成を示す図である。
【図５】本発明に係るシステムの機能構成を示す図である。
【図６】本発明に係る端末１０ａ、１０ｂの表示画面の一例を示す図である。
【図７】本発明に係る端末１０ａ、１０ｂの表示画面の一例を示す図である。
【図８】本発明に係る端末１０ａ、１０ｂの表示画面の一例を示す図である。
【図９】本発明に係る端末１０ａ、１０ｂの表示画面の一例を示す図である。
【図１０】本発明に係る端末１０ａ、１０ｂの表示画面の一例を示す図である。
【図１１】本発明に係る端末１０ａ、１０ｂの表示画面の一例を示す図である。
【図１２】本発明に係る端末１０ａ、１０ｂの表示するリンクデータの構成の一例を示す図である。
【図１３】本発明に利用頻度テーブルの一例を示す図である。
【図１４】本発明に係る端末１０ａ、１０ｂの表示画面の一例を示す図である。
【図１５】本発明に係る端末１０ａ、１０ｂの表示画面の一例を示す図である。
【図１６】本発明に係る端末１０ａ、１０ｂの表示画面の一例を示す図である。
【図１７】本発明に係る端末１０ａ、１０ｂの表示画面の一例を示す図である。
【符号の説明】
【０１０９】
１  システム
１０ａ、１０ｂ  端末
２０  サーバ
３０  通信ネットワーク
４０  基地局
１０００  リモコン
１０２０  本体
１００１、１０２１  制御部
１００２、１０２２  記憶部
１００３  上ボタン
１００４  下ボタン
１００５  左ボタン
１００６  右ボタン
１００７  選択ボタン
１００８  戻るボタン
１００９  テンキー
１０１０、１０２５  表示部
１０１１、１０２３  通信Ｉ／Ｆ部
１０２４  入力部
１０１２、１０２６  バス
【図１】
2008059336.tif 000003
【図２】
2008059336.tif 000004
【図３】
2008059336.tif 000005
【図４】
2008059336.tif 000006
【図５】
2008059336.tif 000007
【図６】
2008059336.tif 000008
【図７】
2008059336.tif 000009
【図８】
2008059336.tif 000010
【図９】
2008059336.tif 000011
【図１０】
2008059336.tif 000012
【図１１】
2008059336.tif 000013
【図１２】
2008059336.tif 000014
【図１３】
2008059336.tif 000015
【図１４】
2008059336.tif 000016
【図１５】
2008059336.tif 000017
【図１６】
2008059336.tif 000018
【図１７】
2008059336.tif 000019